(57)【要約】【課題】文字入力にあたって、効率良く変換機能を使い分けることができる携帯電子機器、制御方法及び制御プログラムを提供すること。【解決手段】文字を入力するための操作部１１と、操作部１１の操作により入力された文字を他の文字に変換するために参照される第１の変換テーブル及び当該第１の変換テーブルとは異なる第２の変換テーブルを記憶する第１の記憶部４６と、第１のモード及び当該第１のモードとは異なる第２のモードが設定可能な設定部４７と、操作部１１の操作により入力された文字を他の文字に変換する場合に、設定部４７により第１のモードが設定されている場合は、第１の変換テーブルを参照させ、設定部４７により第２のモードが設定されている場合は、第２の変換テーブルを参照させる制御部４５と、を有する。【選択図】図２
2012146268.tif 000002
【特許請求の範囲】
【請求項１】
文字を入力するための操作部と、
前記操作部の操作により入力された文字を他の文字に変換するために参照される第１の変換テーブル及び当該第１の変換テーブルとは異なる第２の変換テーブルを記憶する第１の記憶部と、
第１のモード及び当該第１のモードとは異なる第２のモードが設定可能な設定部と、
前記操作部の操作により入力された文字を他の文字に変換する場合に、前記設定部により前記第１のモードが設定されている場合は、前記第１の変換テーブルを参照させ、前記設定部により前記第２のモードが設定されている場合は、前記第２の変換テーブルを参照させる制御部と、を有する携帯電子機器。
【請求項２】
前記設定部により設定されたモードにしたがって、一の変換テーブルから前記第１の変換テーブル及び前記第２の変換テーブルを、それぞれ抽出して作成する変換テーブル作成部を有する請求項１記載の携帯電子機器。
【請求項３】
第２の記憶部と、
前記第１の変換テーブル又は前記第２の変換テーブルを参照して文字の変換を行った場合において、変換前後の文字の対応関係が、参照した前記第１の変換テーブル又は前記第２の変換テーブルに記憶されていないときには、前記変換前後の文字の対応関係を、参照した前記第１の変換テーブル又は前記第２の変換テーブルにそれぞれ関連付けて前記第２の記憶部に記憶させる学習部を有し、
前記制御部は、
前記第１の変換テーブルを参照する場合には、前記第１の変換テーブルに関連付けられた前記変換前後の文字の対応関係を参照させると共に、前記第２の変換テーブルに関連付けられた前記変換前後の文字の対応関係を参照させないように制限し、
前記第２の変換テーブルを参照する場合には、前記第２の変換テーブルに関連付けられた前記変換前後の文字の対応関係を参照させると共に、前記第１の変換テーブルに関連付けられた前記変換前後の文字の対応関係を参照させないように制限する請求項１又は２記載の携帯電子機器。
【請求項４】
パスワードを設定するパスワード設定部を備え、
前記制御部は、前記第１のモードから前記第２のモードへの切り替え、及び前記第２のモードから前記第１のモードに切り替えのいずれか一方が行われる場合に、パスワードの入力を促し、入力されたパスワードが前記パスワード設定部で設定されたパスワードと一致することを条件にモードの切り替えを許可する請求項１乃至３のいずれか１項記載の携帯電子機器。
【請求項５】
前記第１の変換テーブルは、入力された文字を漢字変換しない、又は入力された文字を所定の学年別漢字配当表にしたがった漢字のみに変換可能に構成される請求項１乃至４のいずれか１項記載の携帯電子機器。
【請求項６】
年齢を含むプロフィールを登録する登録部を有し、
前記制御部は、入力された文字を他の文字に変換する場合に、前記登録部に年齢が登録されていると前記設定部により設定されているモードが前記第１のモードか前記第２のモードであるかに関わらず、前記登録部に登録されている年齢に基づいて、前記第１の変換テーブル又は前記第２の変換テーブルのいずれを参照するかを選択する請求項１乃至５記載の携帯電子機器。
【請求項７】
第１のモード及び当該第１のモードとは異なる第２のモードを設定する設定工程と、
文字を入力するための操作部の操作により入力された文字を他の文字に変換する場合に、前記設定工程により前記第１のモードが設定されている場合は、入力された文字を他の文字に変換するために使用される第１の変換テーブルを参照し、前記設定工程により前記第２のモードが設定されている場合は、前記第１の変換テーブルとは異なる第２の変換テーブルを参照させる制御工程を有する制御方法。
【請求項８】
第１のモード及び当該第１のモードとは異なる第２のモードを設定する設定工程と、
文字を入力するための操作部の操作により入力された文字を他の文字に変換する場合に、前記設定工程により前記第１のモードが設定されている場合は、入力された文字を他の文字に変換するために使用される第１の変換テーブルを参照し、前記設定工程により前記第２のモードが設定されている場合は、前記第１の変換テーブルとは異なる第２の変換テーブルを参照させる制御工程とをコンピュータによって実現するための制御プログラム。
【発明の詳細な説明】
【技術分野】
【０００１】
本発明は、文書の作成機能を有する携帯電子機器、制御方法及び制御プログラムに関する。
【背景技術】
【０００２】
携帯電子機器では、使用者の程度や年齢に応じて様々なモード（例えば、大人が使用する大人モードと子供が使用する子供モードや、簡単モードと通常モード等）を選択して使用することができるものが登場している。
また、入力された文字（例えば、「わたくし」）を他の文字（例えば、「私」）に変換する技術が知られている（例えば、特許文献１を参照）。
このような技術は、携帯電子機器に取り入れられ、様々な文字変換に利用されている。
【先行技術文献】
【特許文献】
【０００３】
【特許文献１】特開平５−２９００２７号公報
【発明の概要】
【発明が解決しようとする課題】
【０００４】
ここで、文字入力にあたって、変換機能（通常変換や予測変換等）を利用することが多いが、使用されるモードに応じて変換機能を使い分けることができなかった。
【０００５】
本発明は、文字入力にあたって、効率良く変換機能を使い分けることができる携帯電子機器、制御方法及び制御プログラムを提供することを一つの目的とする。
【課題を解決するための手段】
【０００６】
本発明に係る携帯電子機器は、上記課題を解決するために、文字を入力するための操作部と、前記操作部の操作により入力された文字を他の文字に変換するために参照される第１の変換テーブル及び当該第１の変換テーブルとは異なる第２の変換テーブルを記憶する第１の記憶部と、第１のモード及び当該第１のモードとは異なる第２のモードが設定可能な設定部と、前記操作部の操作により入力された文字を他の文字に変換する場合に、前記設定部により前記第１のモードが設定されている場合は、前記第１の変換テーブルを参照させ、前記設定部により前記第２のモードが設定されている場合は、前記第２の変換テーブルを参照させる制御部と、を有する。
【０００７】
また、携帯電子機器では、前記設定部により設定されたモードにしたがって、一の変換テーブルから前記第１の変換テーブル及び前記第２の変換テーブルを、それぞれ抽出して作成する変換テーブル作成部を有する構成でも良い。
【０００８】
また、携帯電子機器では、第２の記憶部と、前記第１の変換テーブル又は前記第２の変換テーブルを参照して文字の変換を行った場合において、変換前後の文字の対応関係が、参照した前記第１の変換テーブル又は前記第２の変換テーブルに記憶されていないときには、前記変換前後の文字の対応関係を、参照した前記第１の変換テーブル又は前記第２の変換テーブルにそれぞれ関連付けて前記第２の記憶部に記憶させる学習部を有し、前記制御部は、前記第１の変換テーブルを参照する場合には、前記第１の変換テーブルに関連付けられた前記変換前後の文字の対応関係を参照させると共に、前記第２の変換テーブルに関連付けられた前記変換前後の文字の対応関係を参照させないように制限し、前記第２の変換テーブルを参照する場合には、前記第２の変換テーブルに関連付けられた前記変換前後の文字の対応関係を参照させると共に、前記第１の変換テーブルに関連付けられた前記変換前後の文字の対応関係を参照させないように制限する構成でも良い。
【０００９】
また、携帯電子機器では、パスワードを設定するパスワード設定部を備え、前記制御部は、前記第１のモードから前記第２のモードへの切り替え、及び前記第２のモードから前記第１のモードに切り替えのいずれか一方が行われる場合に、パスワードの入力を促し、入力されたパスワードが前記パスワード設定部で設定されたパスワードと一致することを条件にモードの切り替えを許可する構成でも良い。
【００１０】
また、携帯電子機器では、前記第１の変換テーブルは、入力された文字を漢字変換しない、又は入力された文字を所定の学年別漢字配当表にしたがった漢字のみに変換可能に構成される構成でも良い。
【００１１】
また、携帯電子機器では、年齢を含むプロフィールを登録する登録部を有し、前記制御部は、入力された文字を他の文字に変換する場合に、前記登録部に年齢が登録されていると前記設定部により設定されているモードが前記第１のモードか前記第２のモードであるかに関わらず、前記登録部に登録されている年齢に基づいて、前記第１の変換テーブル又は前記第２の変換テーブルのいずれを参照するかを選択する構成でも良い。
【００１２】
また、本発明に係る制御方法は、上記課題を解決するために、第１のモード及び当該第１のモードとは異なる第２のモードを設定する設定工程と、文字を入力するための操作部の操作により入力された文字を他の文字に変換する場合に、前記設定工程により前記第１のモードが設定されている場合は、入力された文字を他の文字に変換するために使用される第１の変換テーブルを参照し、前記設定工程により前記第２のモードが設定されている場合は、前記第１の変換テーブルとは異なる第２の変換テーブルを参照させる制御工程を有する。
【００１３】
また、本発明に係る制御プログラムは、上記課題を解決するために、第１のモード及び当該第１のモードとは異なる第２のモードを設定する設定工程と、文字を入力するための操作部の操作により入力された文字を他の文字に変換する場合に、前記設定工程により前記第１のモードが設定されている場合は、入力された文字を他の文字に変換するために使用される第１の変換テーブルを参照し、前記設定工程により前記第２のモードが設定されている場合は、前記第１の変換テーブルとは異なる第２の変換テーブルを参照させる制御工程とをコンピュータによって実現するためのものである。
【発明の効果】
【００１４】
本発明によれば、文字入力にあたって、効率良く変換機能を使い分けることができる。
【図面の簡単な説明】
【００１５】
【図１】携帯電話機の外観斜視図である。
【図２】携帯電話機の機能を示す機能ブロック図である。
【図３】携帯電話機による具体的な処理についての説明に供するフローチャートである。
【図４】第１の変換テーブル及び第２の変換テーブルが参照される場合における画面遷移を示す図である。
【発明を実施するための形態】
【００１６】
以下、本発明を実施するための好ましい実施形態について、図面を参照しながら説明する。まず、本発明の携帯電子機器の一実施形態に係る携帯電話機１の基本構造について、図１を参照しながら説明する。図１は、携帯電話機１の外観斜視図である。
【００１７】
携帯電話機１は、ストレートタイプの携帯電話機１である。携帯電話機１は、筐体２と、筐体２に対して一定方向に所定量だけ滑動するように取り付けられた滑動部材３と、滑動部材３に連結されたストラップ４により構成されている。携帯電話機１は、通話機能に加えて防犯ブザー機能を有している。防犯ブザー機能とは、ユーザが危険を察知した場合に携帯電話機１に所定の操作を施すことで大音量を発生させて、周囲にいる人に注意を促す機能である。具体的には、携帯電話機１は、ストラップ４が所定の力で引っ張られると、滑動部材３が一定方向に所定量だけ滑動し、この滑動をトリガーとして、大音量でブザーが周囲に鳴り響くことにより、周囲にいる人に注意を促す。なお、この場合には、後述する制御部４５は、ストラップ４が所定の力で引っ張られたことにより防犯ブザーが鳴っている旨の通知を受け、提携している警備会社等にメール等の機能を利用して緊急通知を行う。
【００１８】
また、筐体２の前面２ａには、操作部１１と、表示部２１と、マイク１２と、スピーカ２２とが配置されている。操作部１１は、互いに異なる方向を指定する複数の方向指定キー１１ａ（方向指定手段）と、所定の機能を作動させるための機能作動キー１１ｂとを備える。ここで、複数の方向指定キー１１ａは、図１に示すように物理的に一つのキーの場合でも、上方向、右方向、下方向及び左方向にそれぞれ異なる機能が割り当てられていれば、複数の方向指定キーとする。本実施例においては、方向指定キー１１ａは、上方向を指定する上キー１１１と、下方向を指定する下キー１１２と、右方向を指定する右キー１１３と、左方向を指定する左キー１１４により構成される。なお、方向指定キー１１ａは、複数の方向に指定可能なものであれば良く、ジョイスティックやトラックボール、その他ポインティングデバイスであっても良い。
【００１９】
表示部２１は、液晶表示ディスプレイや有機ＥＬ（エレクトロルミネッセンス）ディスプレイ等から構成される。マイク１２は、携帯電話機１の使用者が通話時に発した音声を入力する。スピーカ２２は、携帯電話機１の使用時に通話の相手方の音声が出力する。
【００２０】
なお、携帯電話機１は、上述したストレートタイプに限定されることはない。すなわち、携帯電話機は、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、さらには、操作部側筐体と表示部側筐体とをヒンジ機構で結合させた折り畳み式であっても良い。
【００２１】
次に、携帯電話機１の機能構成について説明する。図２は、携帯電話機１の機能を示す機能ブロック図である。携帯電話機１は、操作部１１と、マイク１２と、メインアンテナ４０と、ＲＦ回路部４１と、画像処理部４２と、音声処理部４３と、メモリ４４と、制御部４５と、表示部２１と、スピーカ２２と、ドライバＩＣ２３とを備える。また、携帯電話機１は、滑動部材３と、ストラップ４を備え、ストラップ４が所定の力で引っ張られると、滑動部材３が一定方向に所定量だけ滑動し、その旨が制御部４５に通知されるようになっている。
【００２２】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であっても良い。
【００２３】
ＲＦ回路部４１は、メインアンテナ４０によって受信した信号を復調処理し、処理後の信号を制御部４５に供給する。また、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）を制御部４５に通知する。
【００２４】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２５】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２６】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２７】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００２８】
制御部４５は、携帯電話機１の全体を制御しており、中央処理装置（ＣＰＵ）等を用いて構成される。
【００２９】
このように構成される携帯電話機１は、文字入力にあたって、効率良く変換機能を使い分けることを可能とする機能を有する。以下に、当該機能を発揮するための構成と動作について詳述する。
【００３０】
携帯電話機１は、図２に示すように、第１の記憶部４６と、設定部４７を備える。
第１の記憶部４６には、操作部１１の操作により入力された文字を他の文字に変換するために参照される第１の変換テーブル及び当該第１の変換テーブルとは異なる第２の変換テーブルが記憶されている。なお、第１の記憶部４６は、メモリ４４の一部として構成されても良い。
【００３１】
設定部４７は、第１のモード及び当該第１のモードとは異なる第２のモードを設定する。制御部４５は、操作部１１の操作により入力された文字を他の文字に変換する場合に、設定部４７により第１のモードが設定されている場合は、第１の変換テーブルを参照し、設定部４７により第２のモードが設定されている場合は、第２の変換テーブルを参照する。
【００３２】
第１の変換テーブルは、例えば、平仮名を小学校や中学校で習う範囲の漢字に変換するテーブル（子供用テーブル）である。また、第２の変換テーブルは、例えば、平仮名を常用漢字に変換するテーブル（大人用テーブル）である。また、第１のモードは、例えば、子供が使用するモードである。また、第２のモードは、例えば、大人が使用するモードである。
【００３３】
また、設定部４７は、待受画面が表示部２１に表示されている状態から操作部１１により所定の操作が行われて、第１のモードと第２のモードが選択されることにより、各モードを設定する構成でも良い。第１のモードとは、例えば、使用できるアプリケーション等に一定の制限がかかるモードであって、いわゆる子供モードである。また、第２のモードとは、例えば、使用できるアプリケーション等に制限がかからないモードであって、いわゆる大人モードである。
【００３４】
このようにして、携帯電話機１は、第１のモードが設定されている場合には、第１の変換テーブルを参照して変換処理を行い、第２のモードが設定されている場合には、第２の変換テーブルを参照して変換処理を行うので、設定されているモードにしたがって、効率良く変換機能を使い分けることができる。
【００３５】
また、携帯電話機１は、図２に示すように、第１の変換テーブル及び第２の変換テーブルを、設定部４７により設定されたモードにしたがって、元となる一の変換テーブルＴから抽出してそれぞれ作成する変換テーブル作成部４８を有する構成でも良い。
【００３６】
例えば、元となる一の変換テーブルＴは、ＪＩＳ第１〜第４水準漢字に対応している。
変換テーブル作成部４８は、設定部４７により設定されたモードが第１のモード（例えば、子供モード）の場合には、変換テーブルＴから子供が習熟している水準の漢字を抽出して第１の変換テーブルを作成する。また、変換テーブル作成部４８は、設定部４７により設定されたモードが第２のモード（例えば、大人モード）の場合には、変換テーブルＴから大人が一般的に習熟している漢字を抽出して第２の変換テーブルを作成する。
【００３７】
なお、本実施例では、設定部４７は、第１のモードと第２のモードの２種類のモードのいずれかを設定するものとして説明したが、これに限られず３種以上のモードを設定できても良い。このような構成の場合には、変換テーブル作成部４８は、３種以上の変換テーブルを作成することができ、設定部４７により設定されたモードに適合する変換テーブルを適宜作成する。
【００３８】
このようにして、携帯電話機１は、変換テーブルを設定部４７により設定されているモードにしたがって動的に作成することができ、効率良く変換機能を使い分けることができる。
【００３９】
また、携帯電話機１は、図２に示すように、第２の記憶部４９と、学習部５０を有する。なお、第２の記憶部４９は、メモリ４４の一部として構成されても良い。また、第１の記憶部４６と第２の記憶部４９とは、一体として構成されていても良い。
学習部５０は、第１の変換テーブル又は第２の変換テーブルを参照して文字の変換を行った場合において、変換前後の文字（又は文章）の対応関係が、参照した第１の変換テーブル又は第２の変換テーブルに記憶されていないときには、変換前後の文字（又は文章）の対応関係を、参照した第１の変換テーブル又は第２の変換テーブルにそれぞれ関連付けて第２の記憶部４９に記憶する。
【００４０】
制御部４５は、第１の変換テーブルを参照する場合には、第１の変換テーブルに関連付けられた変換前後の文字（又は文章）の対応関係を参照すると共に、第２の変換テーブルに関連付けられた変換前後の文字（又は文章）の対応関係を参照しないように制限し、また、第２の変換テーブルを参照する場合には、第２の変換テーブルに関連付けられた変換前後の文字（又は文章）の対応関係を参照すると共に、第１の変換テーブルに関連付けられた変換前後の文字（又は文章）の対応関係を参照しないように制限する。
【００４１】
例えば、学習部５０は、第１の変換テーブルを参照して文字の変換を行う場合において、入力された文字「しんしょうぼうだい」に対応する変換候補が第１の変換テーブルになく、入力された文字を「しんしょう」と「ぼうだい」に分節し、第１の変換テーブルを参照して、「しんしょう」を変換候補の中から「針小」に変換し、「ぼうだい」を変換候補の中から「棒大」に変換した場合には、変換前の文字「しんしょうぼうだい」と変換後の文字「針小棒大」の対応関係を第１の変換テーブルに関連付けて第２の記憶部４９に記憶する。
【００４２】
また、学習部５０は、第２の変換テーブルを参照して文字の変換を行う場合において、入力された文字「ごりむちゅう」に対応する変換候補が第２の変換テーブルになく、入力された文字を「ごり」と「むちゅう」に分節し、第２の変換テーブルを参照して、「ごり」を変換候補の中から「五里」に変換し、「むちゅう」を変換候補の中から「霧中」に変換した場合には、変換前の文字「ごりむちゅう」と変換後の文字「五里霧中」の対応関係を第２の変換テーブルに関連付けて第２の記憶部４９に記憶する。
【００４３】
制御部４５は、第１の変換テーブルを参照する場合には、第１の変換テーブルに関連付けられた変換前後の文字の対応関係を参照すると共に、第２の変換テーブルに関連付けられた変換前後の文字の対応関係を参照しないように制限するので、変換前の文字「しんしょうぼうだい」と変換後の文字「針小棒大」を参照できるが、変換前の文字「ごりむちゅう」と変換後の文字「五里霧中」を参照できない。
【００４４】
また、制御部４５は、第２の変換テーブルを参照する場合には、第２の変換テーブルに関連付けられた変換前後の文字の対応関係を参照すると共に、第１の変換テーブルに関連付けられた変換前後の文字の対応関係を参照しないように制限するので、変換前の文字「ごりむちゅう」と変換後の文字「五里霧中」を参照できるが、変換前の文字「しんしょうぼうだい」と変換後の文字「針小棒大」を参照できない。
【００４５】
このようにして、携帯電話機１は、使用した変換テーブルのみに学習部５０により学習した結果を関連付けるので、例えば、第１のモード（子供モード）を使用する者（子供）に対して第２のモード（大人モード）を使用する者（保護者）の変換処理を見せないようにガードすることができる。
【００４６】
また、携帯電話機１は、図２に示すように、パスワードを設定するパスワード設定部５１を有する構成でも良い。このような構成の場合、制御部４５は、第１のモードから第２のモードへの切り替え、及び第２のモードから第１のモードに切り替えのいずれか一方が行われる場合に、パスワードの入力を促し、入力されたパスワードがパスワード設定部５１で設定されたパスワードと一致することを条件にモードの切り替えを許可する。
【００４７】
このように構成されることにより、携帯電話機１は、第１のモード（子供モード）の使用者（子供）が第２のモード（大人モード）の使用を制限することができる。
【００４８】
また、第１の変換テーブルは、入力された文字を漢字変換しない、又は入力された文字を所定の学年別漢字配当表にしたがった漢字のみに変換可能に構成されても良い。
【００４９】
例えば、第１の変換テーブルは、入力された平仮名を片仮名に変換したり、文部科学省の指導要領に規定されている学年別漢字配当表にしたがって、使用者の学年に対応した漢字のみに変換可能に構成されている。
【００５０】
このように構成されることにより、携帯電話機１は、使用者の学年に応じた漢字変換を行うことができる。
【００５１】
また、携帯電話機１は、図２に示すように、年齢を含むプロフィールを登録する登録部５２を有する構成でも良い。このような構成の場合には、制御部４５は、入力された文字を他の文字に変換する場合に、設定部４７により設定されているモードが第１のモードか第２のモードであるかに関わらず、登録部５２に登録されている年齢に基づいて、第１の変換テーブル又は第２の変換テーブルのいずれを参照するかを選択する。
【００５２】
また、登録部５２は、年度が改まるごとに、プロフィールに登録されている年齢を加算する機能を有していても良い。このような構成の場合には、制御部４５は、年度が改まるごとに、使用者の学年に応じた変換テーブルを選択するようになる。
【００５３】
このようにして、携帯電話機１は、プロフィールに登録されている情報に連動して変換テーブルを選択するので、使用者の学年に適した変換テーブルを選択することができる。
【００５４】
なお、本実施例では、変換テーブルは、第１の変換テーブルと第２の変換テーブルの２つであるとして説明したが、これに限られず、３つ以上の変換テーブルにより構成されても良い。具体的には、変換テーブルは、学年別に、小学生用の変換テーブルが６つと、中学生用の変換テーブルが３つと、高校生用の変換テーブルが３つと、それ以上の一般用の変換テーブルが一つで構成されても良い。
【００５５】
つぎに、携帯電話機１による具体的な処理について、図３に示すフローチャートを参照しながら説明する。なお、以下では、文字の入力等の編集が可能なアプリケーション（メモ帳アプリケーションやメールアプリケーション）が起動しているものとする。
【００５６】
ステップＳＴ１において、制御部４５は、表示部２１の所定の領域に文字パレットを表示する。
【００５７】
ステップＳＴ２において、制御部４５は、操作部１１による操作によって、入力すべき文字を選択するための文字パレットから選択された文字を表示部２１の文字入力領域に入力する。
【００５８】
ステップＳＴ３において、制御部４５は、入力された文字に対して、変換の操作がされたかどうかを判断する。変換の操作がされた場合（Ｙｅｓ）には、ステップＳＴ４に進み、変換の操作がされない場合（Ｎｏ）には、文字の入力を継続する。
【００５９】
ステップＳＴ４において、制御部４５は、設定されているモードを確認する。ここで、モードの設定は、待受画面が表示部２１に表示されている状態から、操作部１１により所定の操作が行われて、第１のモード（子供モード）と第２のモード（大人モード）が選択されることにより、各モードが設定されるものとするが、これに限られない。
【００６０】
ステップＳＴ５において、制御部４５は、ステップＳＴ４の工程により設定されているモードが第１のモードであるか第２のモードであるかを判断する。設定されているモードが第１のモードである場合には、ステップＳＴ６に進み、設定されているモードが第２のモードである場合には、ステップＳＴ８に進む。
【００６１】
ステップＳＴ６において、制御部４５は、第１のモードが設定されているので、第１の変換テーブルを参照する。
【００６２】
ステップＳＴ７において、制御部４５は、第１の変換テーブルを参照して、入力された文字に対応する変換候補を表示する。また、制御部４５は、変換候補の中から選択された一の候補を確定文字として表示部２１の文字入力領域に表示する。
【００６３】
また、ステップＳＴ８において、制御部４５は、第２のモードが設定されているので、第２の変換テーブルを参照する。
【００６４】
ステップＳＴ９において、制御部４５は、第２の変換テーブルを参照して、入力された文字に対応する変換候補を表示する。制御部４５は、変換候補の中から選択された一の候補を確定文字として表示部２１の文字入力領域に表示する。
【００６５】
ステップＳＴ１０において、制御部４５は、操作部１１による操作に基づいて、文字の入力を継続するか否かを判断する。文字の入力を継続する場合（Ｙｅｓ）には、ステップＳＴ２に戻り、文字の入力を継続しない場合（Ｎｏ）には、処理を終了する。
【００６６】
つぎに、第１の変換テーブルが参照される場合における表示部２１の画面遷移と、第２の変換テーブルが参照される場合における表示部２１の画面遷移について、図４を参照しながら説明する。なお、第１のモードの使用者は、子供を想定し、第２のモードの使用者は、大人（保護者）を想定する。
【００６７】
まず、選択されたモードが第１のモード（子供モード）である場合について説明する。
制御部４５は、文字入力領域Ａ１が未入力の状態から（図４（ａ））、操作部１１による操作によって文字パレットＡ２から選択された文字を文字入力領域Ａ１に入力する（図４（ｂ））。本実施例では、「あさ」が入力されたものとして説明を進める。
【００６８】
制御部４５は、操作部１１の操作によって文字パレットＡ２の中から、未確定な文字を漢字に変換することを要求する「かんじ」が選択されると、文字パレットＡ２に代えて、漢字変換候補Ａ３を表示する（図４（ｃ））。なお、漢字変換候補Ａ３は、第１の変換テーブルを参照して読み出されたものにより構成されている。したがって、使用者である子供は、違和感無く漢字等の選択を行うことができる。
【００６９】
制御部４５は、操作部１１による操作によって漢字変換候補Ａ３の中から「朝」を選択し（カーソルを「朝」に移動する）、決定の操作が行われると、「あさ」に代えて「朝」を文字入力領域Ａ１に入力し、漢字変換候補Ａ３に代えて文字パレットＡ２を表示する（図４（ｄ））。
【００７０】
つぎに、選択されたモードが第２のモード（大人モード）である場合について説明する。
制御部４５は、文字入力領域Ａ１が未入力の状態から（図４（ｅ））、操作部１１による操作によって文字パレットＡ２から選択された文字を文字入力領域Ａ１に入力する（図４（ｆ））。本実施例では、「あさ」が入力されたものとして説明を進める。
【００７１】
制御部４５は、操作部１１の操作によって文字パレットＡ２の中から、未確定な文字を漢字に変換することを要求する「かんじ」が選択されると、文字パレットＡ２に代えて、漢字変換候補Ａ３を表示する（図４（ｇ））。なお、漢字変換候補Ａ３は、第２の変換テーブルを参照して読み出されたものにより構成されている。したがって、使用者である大人は、違和感無く漢字等の選択を行うことができる。
【００７２】
制御部４５は、操作部１１による操作によって漢字変換候補Ａ３の中から「朝」を選択し（カーソルを「朝」に移動する）、決定の操作が行われると、「あさ」に代えて「朝」を文字入力領域Ａ１に入力し、漢字変換候補Ａ３に代えて文字パレットＡ２を表示する（図４（ｈ））。
【００７３】
このようにして、携帯電話機１は、第１のモードが設定されている場合には、第１の変換テーブルを参照して変換処理を行い、第２のモードが設定されている場合には、第２の変換テーブルを参照して変換処理を行うので、設定されているモードにしたがって、効率良く変換機能を使い分けることができ、かつ、簡易な操作によって、使用者の立場に応じた変換処理を提供することができる。
【００７４】
また、携帯電話機１は、待受画面が表示部２１に表示されている状態から、操作部１１により所定の操作が行われて、第１のモード（子供モード）と第２のモード（大人モード）が選択されることにより、各モードが設定されるものとして説明したが、これに限られず、文字の入力時において、保護者用の起動メニューから操作を行って文字の入力が行われたのか、又は子供用の起動メニューから操作を行って文字の入力が行われたのかによって、モードを設定する構成でも良い。
【００７５】
また、携帯電話機１は、複数のメールアドレスや電話番号に対応する機能を有する構成でも良い。このような構成の場合には、携帯電話機１は、使用するメールアドレスによって使用する変換テーブルを切り替える構成でも良い。
【００７６】
また、携帯電話機１は、エルダーモードと通常モードの設定が可能なエルダー向けの機能を有する構成でも良い。このような構成の場合には、エルダーモードが選択されたときに使用される変換テーブルは、常用漢字に含まれていない漢字や、俳句に使用される季語が含まれる構成でも良い。
【００７７】
また、携帯電話機１は、第１のモード（子供モード）で閲覧したメールに、第１の変換テーブルに存在しない漢字が含まれている場合には、第２の変換テーブルを参照して、当該漢字に平仮名又は片仮名によるルビを付けて表示する構成でも良い。
【００７８】
また、携帯電話機１は、小学生用、中学生用及び高校生用と複数の変換テーブルを有し、所定のタイミングで、小学生用の変換テーブル→中学生用の変換テーブル→高校生用の変換テーブルに順次切り替えることによって、漢字に明るくない方に漢字を習熟させることができる。
【符号の説明】
【００７９】
１  携帯電話機
４５  制御部
４６  第１の記憶部
４７  設定部
４８  変換テーブル作成部
４９  第２の記憶部
５０  学習部
５１  パスワード設定部
５２  登録部
【図１】
2012146268.tif 000003
【図２】
2012146268.tif 000004
【図３】
2012146268.tif 000005
【図４】
2012146268.tif 000006